(57)【特許請求の範囲】
【請求項１】
原子力プラントの運転停止後に、原子炉建屋内の運転床に形成された機器仮置きプールであって原子炉ウェルに連絡される前記機器仮置きプールの上方を封鎖している複数のプールカバーを、少なくとも、前記機器仮置きプールの前記原子炉ウェル側の第２側面と対向している他の側面である、前記機器仮置きプールの第１側面に位置している第１の前記プールカバーを残して除去し、
前記第１のプールカバーが前記機器仮置きプールを跨いで配置されて、前記第１のプールカバーの両端部にそれぞれ取り付けられた第１支持ハンガー部材が、前記機器仮置きプールの前記第１側面及び前記第２側面以外の対向する第３側面及び第４側面において前記運転床に保持され、且つ２枚の第２の前記プールカバーが前記第１のプールカバーと交差する方向に配置され、各前記第２のプールカバーの一端部にそれぞれ取り付けられた第２支持ハンガー部材が前記第１のプールカバーに保持され、各々の前記第２のプールカバーの他端部にそれぞれ取り付けられた第３支持ハンガー部材が前記第２側面において前記運転床に保持され、各前記第２のプールカバーのうち１枚の前記第２のプールカバーが前記第３側面に接触され、残りの前記第２のプールカバーが前記第４側面に接触された状態で、原子炉圧力容器内から取り出されて前記機器仮置きプール内に搬入される機器を吊っているワイヤが水平方向に移動する領域を、前記第１のプールカバーと前記２枚の第２プールカバーで取り囲んで形成することを特徴とする機器仮置きプールを開放する方法。
【請求項２】
それぞれの前記第２のプールカバーの前記第２支持ハンガー部材が、前記第１のプールカバーに形成された、前記第１のプールカバーの長手方向に伸びている突起部に引っ掛けられる請求項１に記載の機器仮置きプールを開放する方法。
【請求項３】
前記第１のプールカバーと前記第２側面において前記運転床に保持される前記２枚の第２のプールカバーは、前記第１のプールカバーと並行に配置されて前記機器仮置きプールの上方を封鎖していた前記複数のプールカバーの一部であり、
前記除去された一部のプールカバーを、９０°旋回しれてそれぞれの前記第２のプールカバーとして使用し、前記第１のプールカバー、及び前記第２側面において前記運転床にそれぞれ保持する請求項１に記載の機器仮置きプールを開放する方法。
【請求項４】
前記機器仮置きプールの上方を封鎖している前記複数のプールカバーの長手方向の寸法をＬ１、及び前記機器仮置きプールの前記第１側面と前記第２側面との間の寸法をＬ２としたとき、前記第１のプールカバーとして、長手方向の寸法がＬ１で前記第１側面から前記第２側面に向かう方向における幅が（Ｌ２−Ｌ１）であるプールカバーが用いられ、前記複数のプールカバーのうち、前記第１のプールカバーを除いた、前記２枚の第２のプールカバーを含む残りの複数の前記プールカバーのそれぞれとして、長手方向の寸法がＬ１で前記幅が寸法Ｌ１を前記残りのプールカバーの枚数で割って得られる寸法であるプールカバーが用いられる請求項３に記載の機器仮置きプールを開放する方法。
【請求項５】
前記第１のプールカバーを、前記第１側面に接触させて配置する請求項１に記載の機器仮置きプールを開放する方法。
【請求項６】
前記ワイヤが水平方向に移動する前記領域が、前記第３側面に接触している前記第２のプールカバーと前記第４側面に接触している前記第２のプールカバーに保持されて前記機器仮置きプールを封鎖している前記複数のプールカバーを除去することによって形成される請求項１に記載の機器仮置きプールを開放する方法。
【請求項７】
原子力プラントの運転停止後に、原子炉圧力容器の上蓋を取り外し、
原子炉建屋内の運転床に形成された機器仮置きプールであって原子炉ウェルに連絡される前記機器仮置きプールの上方を封鎖している複数のプールカバーを、少なくとも、前記機器仮置きプールの前記原子炉ウェル側の第２側面と対向している他の側面である、前記機器仮置きプールの第１側面に位置している第１の前記プールカバーを残して除去し、
前記第１のプールカバーが前記機器仮置きプールを跨いで配置されて、前記第１のプールカバーの両端部にそれぞれ取り付けられた第１支持ハンガー部材が、前記機器仮置きプールの前記第１側面及び前記第２側面以外の対向する第３側面及び第４側面において前記運転床に保持され、且つ２枚の第２の前記プールカバーが前記第１のプールカバーと交差する方向に配置され、各前記第２のプールカバーの一端部にそれぞれ取り付けられた第２支持ハンガー部材が前記第１のプールカバーに保持され、各々の前記第２のプールカバーの他端部にそれぞれ取り付けられた第３支持ハンガー部材が前記第２側面において前記運転床に保持され、各前記第２のプールカバーのうち１枚の前記第２のプールカバーが前記第３側面に接触され、残りの前記第２のプールカバーが前記第４側面に接触された状態で、原子炉圧力容器内から取り出されて前記機器仮置きプール内に搬入される機器を吊っているワイヤが水平方向に移動する領域を、前記第１のプールカバー、及び前記２枚の第２プールカバーで取り囲んで形成し、
前記機器を前記ワイヤで吊って前記原子炉圧力容器から取り出し、
前記ワイヤを前記領域内を移動させて、前記ワイヤで吊った前記機器を前記機器仮置きプール内に搬入することを特徴とする炉内機器の移送方法。
【請求項８】
それぞれの前記第２のプールカバーの前記第２支持ハンガー部材が、前記第１のプールカバーに形成された、前記第１のプールカバーの長手方向に伸びている突起部に引っ掛けられる請求項７に記載の炉内機器の移送方法。
【請求項９】
前記第１のプールカバーと前記第２側面において前記運転床に保持される前記２枚の第２のプールカバーは、前記第１のプールカバーと並行に配置されて前記機器仮置きプールの上方を封鎖していた前記複数のプールカバーの一部であり、
前記除去された一部のプールカバーを、９０°旋回しれてそれぞれの前記第２のプールカバーとして使用し、前記第１のプールカバー、及び前記第２側面において前記運転床にそれぞれ保持する請求項７に炉内機器の移送方法。
【請求項１０】
前記ワイヤが水平方向に移動する前記領域が、前記第３側面に接触している前記第２のプールカバーと前記第４側面に接触している前記第２のプールカバーに保持されて前記機器仮置きプールを封鎖している前記複数のプールカバーを除去することによって形成される請求項７に記載の炉内機器の移送方法。
【発明の詳細な説明】
【技術分野】
【０００１】
本発明は、機器仮置きプールを開放する方法及び炉内機器の移送方法に係り、特に、沸騰水型原子力プラントに適用するのに好適な機器仮置きプールを開放する方法及び炉内機器の移送方法に関する。
【背景技術】
【０００２】
沸騰水型原子力プラントでは、原子炉が、原子炉建屋内に設置された原子炉格納容器内に据え付けられている。運転床が、原子炉建屋内で原子炉格納容器の上方に形成されている。運転床に取り囲まれた原子炉ウェルが、原子炉の真上で原子炉格納容器の上方に形成されている。運転床に取り囲まれている機器仮置きプール及び燃料貯蔵プールが、原子炉ウェルに隣り合わせでそれぞれ配置される。機器仮置きプール、原子炉ウェル及び燃料貯蔵プールは、この順に一列に配置されている。機器仮置きプール及び燃料貯蔵プールはゲートを介して原子炉ウェルに連通される。
【０００３】
原子炉の運転時では、機器仮置きプールと原子炉ウェル、及び燃料貯蔵プールと原子炉ウェルは、それぞれゲートで仕切られており、互いに連通していない。原子炉の運転時においては、機器仮置きプールと原子炉ウェルには冷却水が充填されていない。燃料貯蔵プールには冷却水が充填されており、多数の使用済み燃料集合体が燃料貯蔵プール内の冷却水中に保管されている。原子炉の運転中、両端部が運転床で支持された複数のプールカバーが、機器仮置きプールの上面を覆って機器仮置きプールを封鎖しており、両端部が運転床で支持された複数の遮へいプラグが原子炉ウェルの上面を覆っている。
【０００４】
沸騰水型原子力プラントでは、定期検査が定期的に実施される。この定期検査は、原子炉の運転を停止した後に行われる。定期検査の期間中において、原子炉内の炉心に装荷されている一部の燃料集合体の交換、及び炉内構造物に対する保守点検も行われる。燃料集合体の交換、及び炉内構造物に対する保守点検を行う場合には、原子炉を開放する必要がある。原子炉開放の作業は以下のように行われ、このときには、レイダウン作業も併せて行われる。レイダウン作業において、運転床の床面及び機器仮置きプールの底面がレイダウンエリアになる。
【０００５】
原子炉建屋内でのレイダウン作業について説明する。原子炉ウェルを覆っている各遮へいプラグが、原子炉建屋の天井に設置された天井クレーンを用いて運転床面上の所定の位置まで搬送される。原子炉格納容器から取り外された上蓋が、天井クレーンを用いて原子炉ウェル内を通って運転床面上の所定の位置まで搬送される。原子炉圧力容器の上蓋も、原子炉圧力容器から取り外され、天井クレーンを用いて持ち上げられる。この上蓋は、原子炉ウェル内を上昇し、運転床面上の所定の位置に置かれる。機器仮置きプールを覆っている複数のプールカバーは、天井クレーンで搬送され、機器仮置きプール付近の運転床面上に積み重ねられる。
【０００６】
原子炉圧力容器の上蓋が取り外された後、原子炉ウェル及び機器仮置きプール内に冷却水が充填される。機器仮置きプールと原子炉ウェルを仕切っているゲートが取り外されて運転床面上に置かれている。原子炉圧力容器内に設置された蒸気乾燥器が、取り外され、天井クレーンによって原子炉ウェルを通して機器仮置きプール内まで移送される。この蒸気乾燥器は、冷却水を充填した機器仮置きプールの底面に置かれる。原子炉圧力容器内で炉心の上方に配置された気水分離器も、機器仮置きプール内まで移送され、機器仮置きプールの底面に置かれる。以上で、レイダウン作業が終了する。
【０００７】
定期検査が終了するまで、蒸気乾燥器及び気水分離器が機器仮置きプールの水中に保管される。炉心に装荷されている燃料集合体のうち、寿命になった一部の燃料集合体が、運転床上を移動する燃料交換機によって把持され、燃料貯蔵プールまで移動される。
【０００８】
機器仮置きプールのプールカバーの例が、特開２００７−２７１４０５号公報、特開昭６２−６４９９５号公報及び特開昭６０−２０２３９３号公報に記載されている。
【０００９】
特開２００７−２７１４０５号公報に記載された、機器仮置きプールを覆うプールカバーは、２つに折り畳むことが可能な構成を有する。ウインチが設けられ、ウインチに巻きつけられたワイヤがプールカバーに取り付けられる。プールカバーの折り曲げによる収納及び引き伸ばしによる機器仮置きプール上面の封鎖は、ウインチの駆動によるワイヤの巻き取り及び巻き戻しによって行われる。
【００１０】
特開昭６２−６４９９５号公報に記載されたプールカバーは、運転床上を移動する台車、リンク機構を用いてプールの両側に配置された折りたたみ式連結機、これらの連結機をつなぐ複数の軸、及びこれらの軸を覆って取り付けられたシート状カバーを有する。台車を移動させることによって連結機が、伸びたり、縮んだりする。これにより、機器仮置きプールがシート状カバーで覆われたり、シート状カバーが畳まれて機器仮置きプールが開放されたりする。
【００１１】
特開昭６０−２０２３９３号公報に記載されたプールカバーは、複数のシートカバーが連結されており、ハンドルを回転させることによってドラムに巻き取られる。
【先行技術文献】
【特許文献】
【００１２】
【特許文献１】特開２００７−２７１４０５号公報
【特許文献２】特開昭６２−６４９９５号公報
【特許文献３】特開昭６０−２０２３９３号公報
【発明の概要】
【発明が解決しようとする課題】
【００１３】
運転床、すなわち、レイダウンエリアが狭いので、複数の遮へいプラグ、原子炉格納容器の上蓋及び原子炉圧力容器の上蓋等がレイダウン作業によって運転床上面に並べられたとき、運転床での作業員の通行に支障が生じ、定期検査時における炉内構造物等の原子炉圧力容器内の保守点検に要する時間が長くなる可能性がある。
【００１４】
特開２００７−２７１４０５号公報に記載されたプールカバーが機器仮置きプールの上面を覆っているとき、このプールカバーを作業床として使用することができる。しかしながら、機器仮置きプールに蒸気乾燥器および気水分離器を搬入するときには、ウインチを駆動させて機器仮置きプールを覆っているプールカバーを、２つに折り畳むように、機器仮置きプールに面する原子炉建屋の側壁の内面に向って移動させ、収納する。機器仮置きプールが開放されるので、原子炉圧力容器から取り出した蒸気乾燥器及び気水分離器が機器仮置きプール内に天井クレーンにより順次搬入される。その後、２つに折り畳まれたプールカバーが引き伸ばされて機器仮置きプールを覆うので、作業床となるプールカバー上を作業員が通行することができる。
【００１５】
原子炉圧力容器内の炉内構造物の保守点検が終了した後、燃料貯蔵プール内の新燃料集合体が、燃料交換機によって炉心内に装荷される。新燃料集合体の装荷後に、機器仮置きプール内の気水分離器及び蒸気乾燥器が、この順に、原子炉圧力容器の所定の各位置まで搬入され、これらの位置で原子炉圧力容器に設置される。運転床上に置かれた各上蓋が原子炉圧力容器及び原子炉格納容器にそれぞれ取り付けられる。気水分離器及び蒸気乾燥器が搬出された機器仮置きプールの上面がプールカバーで覆われる。このプールカバーは原子炉の運転中でも機器仮置きプールの上面を覆っている。原子炉の運転中では、機器仮置きプール及び原子炉ウェル内の冷却水は、排出されており、空の状態になっている。
【００１６】
このように、特開２００７−２７１４０５号公報に記載されたプールカバーは、機器仮置きプールへの蒸気乾燥器等の搬入時に開け閉めされ、機器仮置きプールからの蒸気乾燥器等の搬出時にも開け閉めされる。特開２００７−２７１４０５号公報に記載されたプールカバーでは、蒸気乾燥器等の搬入時及び搬出時における開け閉め操作がそれぞれ２回必要になる。プールカバーの開閉操作時には、作業員はプールカバー上を通行することができない。特開昭６２−６４９９５号公報及び特開昭６０−２０２３９３号公報に記載された各プールカバーでも、同様に、蒸気乾燥器等の搬入時及び搬出時における開け閉め操作がそれぞれ２回必要になる。特開昭６２−６４９９５号公報及び特開昭６０−２０２３９３号公報は、機器仮置きプールを覆っているプールカバーの上面を作業員の通路として使用することを考慮していない。
【００１７】
また、特開２００７−２７１４０５号公報に記載されたプールカバーは、ウインチ等のプールカバーを開閉する機構が必要になり、構造が複雑化している。特開昭６２−６４９９５号公報及び特開昭６０−２０２３９３号公報に記載された各プールカバーでも、同様に、構造が複雑化している。
【００１８】
本発明の目的は、プールカバーの構造が単純化でき、原子炉建屋内のレイダウン作業に要する時間を短縮することができる機器仮置きプールを開放する方法及び炉内機器の移送方法を提供することにある。
【課題を解決するための手段】
【００１９】
原子力プラントの運転停止後に、原子炉建屋内の運転床に形成された機器仮置きプールであって原子炉ウェルに連絡される機器仮置きプールの上方を封鎖している複数のプールカバーを、少なくとも、機器仮置きプールの原子炉ウェル側の第２側面と対向している他の側面である、機器仮置きプールの第１側面に位置している第１のプールカバーを残して除去し、
第１のプールカバーが機器仮置きプールを跨いで配置されて、第１のプールカバーの両端部にそれぞれ取り付けられた第１支持ハンガー部材が、機器仮置きプールの第１側面及び第２側面以外の対向する第３側面及び第４側面において運転床に保持され、且つ２枚の第２のプールカバーが第１のプールカバーと交差する方向に配置され、各第２のプールカバーの一端部にそれぞれ取り付けられた第２支持ハンガー部材が第１のプールカバーに保持され、各々の第２のプールカバーの他端部にそれぞれ取り付けられた第３支持ハンガー部材が第２側面において運転床に保持され、各第２のプールカバーのうち１枚の第２のプールカバーが第３側面に接触され、残りの第２のプールカバーが第４側面に接触された状態で、原子炉圧力容器内から取り出されて機器仮置きプール内に搬入される機器を吊っているワイヤが水平方向に移動する領域を、第１のプールカバーと２枚の第２プールカバーで取り囲んで形成することにある。
【００２０】
第１のプールカバーが機器仮置きプールを跨いで配置され、２枚の第２プールカバーが第１のプールカバーと交差する方向に配置され、各第２のプールカバーの一端部が第１のプールカバーに保持され、各々の第２のプールカバーの他端部が機器仮置きプールの第２側面において運転床に保持され、１枚の第２のプールカバーが機器仮置きプールの第３側面に接触され、残りの第２のプールカバーが第３側面に対向する第４側面に接触されているので、作業員がレイダウン作業時においてこれらのプールカバーの上を歩行することができる。このため、レイダウン作業時における作業員の移動がより迅速に行うことができ、レイダウン作業に要する時間を短縮することができる。機器仮置きプールの上方にそれらのプールカバーにより作業員の歩行通路を形成した状態で、第１のカバー及び２枚の第２のカバーに取り囲まれて形成されたワイヤが水平方向に移動する領域を通して原子炉内の機器を機器仮置きプール内に移送することができるので、レイダウン作業に要する時間をさらに短縮することができる。
【発明の効果】
【００２１】
本発明によれば、プールカバーの構造が単純化でき、原子炉建屋内のレイダウン作業に要する時間を短縮することができる。
【図面の簡単な説明】
【００２２】
【図１】本発明の好適な一実施例である実施例１の機器仮置きプールを開放する方法を実現することができる、沸騰水型原子力プラントの運転中における機器仮置きプールをプールカバーで封鎖した状態を示す説明図である。
【図２】実施例１の機器仮置きプールを開放する方法により配置した、機器仮置きプールでのプールカバーの配置状態を示す説明図である。
【図３】沸騰水型原子力プラントの原子炉建屋内での運転床付近の縦断面図である。
【図４】図３のIV−IV断面図である。
【図５】実施例１で用いられるプールカバーの側面図である。
【図６】図２のVI−VI断面図である。
【図７】図２のVII−VII断面図である。
【図８】本発明の他の実施例である実施例２の機器仮置きプールを開放する方法を実現することができる、沸騰水型原子力プラントの運転中における機器仮置きプールをプールカバーで封鎖した状態を示す説明図である。
【図９】実施例２の機器仮置きプールを開放する方法により配置した、機器仮置きプールでのプールカバーの配置状態を示す説明図である。
【図１０】本発明の他の実施例である実施例３の機器仮置きプールを開放する方法を実現することができる、沸騰水型原子力プラントの運転中における機器仮置きプールをプールカバーで封鎖した状態を示す説明図である。
【図１１】実施例３の機器仮置きプールを開放する方法により配置した、機器仮置きプールでのプールカバーの配置状態を示す説明図である。
【図１２】隣り合うプールカバーの係合構造の他の例を示す構成図である。
【図１３】隣り合うプールカバーの係合構造の他の例を示す構成図である。
【発明を実施するための形態】
【００２３】
本発明の実施例を以下に説明する。
【実施例１】
【００２４】
本発明の好適な一実施例である実施例１の機器仮置きプールを開放する方法を、図１及び図２を用いて説明する。本実施例のプールカバーを開放する方法は、沸騰水型原子力プラントに適用される。
【００２５】
この沸騰水型原子力プラントの原子炉が配置される原子炉建屋内の構造を、運転床付近を中心に、図３及び図４を用いて説明する。沸騰水型原子力プラントは、原子炉格納容器４を原子炉建屋１内に配置しており、原子炉圧力容器２を原子炉格納容器４内に設置している。原子炉圧力容器上蓋（以下、ＲＰＶ上蓋という）３が、原子炉圧力容器２の上端部に配置され、原子炉圧力容器２のフランジに着脱可能に取り付けられている。蒸気乾燥器（図示せず）及び気水分離器（図示せず）が原子炉圧力容器２内に設置されている。気水分離器が原子炉圧力容器２内に設けられた炉心（図示せず）の上方に配置され、蒸気乾燥器が気水分離器の上方に配置される。原子炉圧力容器保温材が原子炉圧力容器２の周囲に取り付けられる。
【００２６】
原子炉格納容器上蓋（以下、ＰＣＶ上蓋という）５が、原子炉格納容器４の上端部に配置され、取り外し可能に原子炉格納容器４の上端部に取り付けられる。運転床６が、原子炉建屋１内で原子炉格納容器４の上方に形成されている。運転床６に囲まれて形成された機器仮置きプール８、原子炉ウェル７及び燃料貯蔵プール９が、原子炉格納容器４の上方に配置されている。原子炉ウェル７は原子炉圧力容器２の真上に位置しており、機器仮置きプール８、原子炉ウェル７及び燃料貯蔵プール９がこの順に一列に配置されている。機器仮置きプール８の横断面は矩形であり、機器仮置きプール８の長手方向が機器仮置きプール８、原子炉ウェル７及び燃料貯蔵プール９の並びに一致している。
【００２７】
キャスクピット１０が燃料貯蔵プール９の側に配置される。運転床６の床面が、機器仮置きプール８、原子炉ウェル７及び燃料貯蔵プール９を間に挟んで、第１領域２０Ａと第２領域２０Ｂに分かれている。運転床６の第２領域２０Ｂには大物搬出口１１が形成されており、この大物搬入口１１が燃料貯蔵プール９の側に存在する。新燃料集合体貯蔵庫１２が、運転床６の第１領域２０Ａに設けられ、燃料貯蔵プール９の側に配置されている。
【００２８】
燃料交換機１３が、原子炉ウェル７を跨ぐように配置されて、運転床６上に設けられたレール（図示せず）上に移動可能に設置される。この燃料交換機１３は、原子炉ウェル７及び燃料貯蔵プール９の上方を運転床６に設けられたレールに沿って移動する。天井クレーン１４が、燃料交換機１３の上方に配置されて、原子炉建屋１内で原子炉建屋１の天井付近に設置される。天井クレーン１４は、原子炉建屋１内に敷設されたレール上を移動する走行台車１５、及び走行台車１５に設置されて走行台車１５上を移動する横行台車１６を有する。運転室１７が、走行台車１５に設けられ、走行台車１５から下方に向って伸びている。
【００２９】
沸騰水型原子力プラントの運転中、原子炉ウェル７は、運転床７上に置かれた複数の遮へいプラグ１８で覆われている（図４参照）。本実施例では、５個の遮へいプラグ１８、すなわち、１個の遮へいプラグ１８Ａ、１個の遮へいプラグ１８Ｂ、及び３個の遮へいプラグ１８Ｃが存在する。沸騰水型原子力プラントの運転中において、原子炉ウェル７と機器仮置きプール８を連絡する通路３０は、この内部に配置された複数のゲート１９によって仕切られている。機器仮置きプール８は、沸騰水型原子力プラントの運転中、複数のプールカバー２１、例えば、７枚のプールカバー２１Ａ〜２１Ｇによって覆われて封鎖されている。プールカバー２１Ａ〜２１Ｇのそれぞれの長さはＬ１である（図１参照）。長さＬ１は機器仮置きプール８の幅に等しい。プールカバー２１Ａ〜２１Ｇのそれぞれの幅はＬ１／６である。プールカバー２１Ａの幅は、機器仮置きプール８の長手方向の長さＬ２からプールカバー２１Ｂ〜２１Ｇの各幅の合計値Ｌ１を引いた値（Ｌ２−Ｌ１）である。プールカバー２１Ａが、機器仮置きプール８の領域で原子炉ウェル７から最も遠い位置に配置されて、原子炉ウェル７と反対側に位置する、機器仮置きプール８の１つの側面に接触している。プールカバー２１Ｇが、原子炉ウェル７に最も近い位置に配置され、原子炉ウェル７側の、機器仮置きプール８の側面に接触している。本実施例では、機器仮置きプール８を覆っている６枚のプールカバー２１Ｂ，２１Ｃ，２１Ｄ，２１Ｅ，２１Ｆ及び２１Ｇが占有している領域の形状は、Ｌ１×Ｌ１の正方形をしている（図１参照）。各プールカバー２１Ａ〜２１Ｇは、両端部に複数の支持ハンガー部材２２を設けている（図１及び図５参照）。各プールカバー２１Ａ〜２１Ｇが機器仮置きプール８を覆っている状態で、縦断面がコの字状になっている各支持ハンガー部材２２が、運転床６の、機器仮置きプール８に面する部分の上面に形成された突起部（図６に示す突起部２３と同じ構成）に引っ掛けられている。このようにして、各プールカバー２１Ａ〜２１Ｇが運転床６に保持される。プールカバー２１Ａは、機器仮置きプール８の、原子炉ウェル７とは反対側の側面に面する側端に、長手方向において間隔を置いて、複数（例えば、４個）の支持ハンガー部材２２Ａを設けている（図１参照）。これらの支持ハンガー部材２２Ａは、運転床６の、機器仮置きプール８の、原子炉ウェル７とは反対側の側面に面する部分の上面に形成された突起部２３に引っ掛けられている（図６参照）。
【００３０】
以上のプールカバー２１の移送によって機器仮置きプール８の上方が開放される。すなわち、機器仮置きプール８がプールカバー２１Ａ，２１Ｂ，２１Ｃで取り囲まれた領域３３で開放されている。この領域３３は、後述する炉内機器である蒸気乾燥器及び気水分離器を移送する際において、この炉内機器を天井クレーン１４に吊っているワイヤが水平方向に移動する領域になる。
【００３１】
定期検査を行うために沸騰水型原子力プラントの運転が停止された後、レイダウン作業が実施される。このレイダウン作業の詳細を以下に説明する。レイダウン作業には、天井クレーン１４が用いられ、天井クレーン１４に設けられた運転室１８が運転床６の第１領域２０Ａの上方を移動する。この運転室１８は運転床６の第２領域２０Ｂの上方を移動しない。第２領域２０Ｂは、機器仮置きプール８、原子炉ウェル７及び燃料貯蔵プール９を間に挟んで第１領域２０Ａの向かい側の位置に存在する。
【００３２】
まず、機器仮置きプール８を覆っている一部のプールカバー２１が取り外されて移送される。機器仮置きプール８を覆っている各プールカバー２１のうちプールカバー２１Ｄ〜２１Ｇを、天井クレーン１４で順次吊り上げて、機器仮置きプール８の原子炉ウェル７とは反対側の端と原子炉建屋１の側壁との間に形成されたカバー仮置きスペース２５まで移送する。プールカバー２１Ｄ〜２１Ｇは、カバー仮置きスペース２５に積み重ねて置かれる。プールカバー２１Ａ（第１のプールカバー）は、移動されずに沸騰水型原子力プラントの運転中の状態のまま、機器仮置きプール８の端部を覆っている。プールカバー２１Ａは、原子炉ウェル７側の側端で上面に、長手方向に伸びる突起部２４が形成されている（図１、図６及び図７参照）。プールカバー２１Ａ上を歩く作業員が機器仮置きプール８内に落ちるのを防止するために、手すり２８がプールカバー２１Ａの突起部２４に取り付けられる。
【００３３】
プールカバー２１Ｂ（第２のプールカバー）が、天井クレーン１４で吊り上げられて９０°回転されて、機器仮置きプール８の、第１領域２０Ａ側の側面に接触して配置され（図２参照）、機器仮置きプール８の一部を覆っている。この状態で、プールカバー２１Ｂの一端に設けられた一対の支持ハンガー部材２２がプールカバー２１Ａの突起部２４上に置かれる（図７参照）。これらの支持ハンガー部材２２の先端が突起部２４に引っ掛けられている。プールカバー２１Ｂの他端に設けられた一対の支持ハンガー部材２２が、機器仮置きプール８の、原子炉ウェル７側の端に面する運転床６の床面に形成された突起部（図示せず）の上に置かれ、これらの支持ハンガー部材２２の先端がこの突起部に引っ掛けられる。
【００３４】
プールカバー２１Ｃ（第２のプールカバー）も、天井クレーン１４で吊り上げられて９０°回転される。プールカバー２１Ｃは、機器仮置きプール８の、第２領域２０Ｂ側の側面に接触して配置され（図２参照）、機器仮置きプール８の一部を覆っている。この状態で、プールカバー２１Ｃの一端に設けられた一対の支持ハンガー部材２２がプールカバー２１Ａの突起部２４上に置かれる（図７参照）。これらの支持ハンガー部材２２の先端が突起部２４に引っ掛けられている。プールカバー２１Ｃの他端に設けられた一対の支持ハンガー部材２２が、プールカバー２１Ｂと同様に、機器仮置きプール８の、原子炉ウェル７側の端に面する運転床６の床面に形成された突起部（図示せず）の上に置かれ、これらの支持ハンガー部材２２の先端がこの突起部に引っ掛けられる。
【００３５】
図示されていないが、手すり２８が、機器仮置きプール８を覆って上記のように配置されたプールカバー２１Ｂ，２１Ｃの機器仮置きプール８側の側端に、長手方向に沿って取り付けられる。プールカバー２１Ｂ，２１Ｃがプールカバーと直交して配置されている。
【００３６】
プールカバー２１Ａ〜２１Ｃが図２に示すように配置された後、原子炉ウェル７を覆っている遮へいプラグ１７のうち、機器仮置きプール８側に位置する遮へいプラグ１７Ａ、及び燃料貯蔵プール９側に位置する遮へいプラグ１７Ｂが、順番に天井クレーン１４によって吊り上げられて運転床６の上まで移動される。遮へいプラグ１７Ａ，１７Ｂは、機器仮置きプール８側で運転床６の第１領域２０Ａの床面上に、側面が対向するように近接して置かれる。遮へいプラグ１７のうち、残りの３個の遮へいプラグ１７Ｃも、原子炉ウェル７の側で運転床６の第１領域２０Ａの床面上に置かれる。機器仮置きプール８と原子炉ウェル８を仕切っている各ゲート１９が、天井クレーン１４によって順次移送されて運転床６の第１領域２０Ａの床面上に置かれる。
【００３７】
原子炉格納容器４から取り外されたＰＣＶ上蓋５は、天井クレーン１４に吊り下げられて原子炉ウェル７内を上昇し、運転床６の第２領域２０Ｂの床面上に置かれる。ＲＰＶ上蓋３を覆ってＲＰＶ上蓋３に取り付けられているＲＰＶ保温材（図示せず）が、ＲＰＶ上蓋３から取り外される。このＲＰＶ保温材が、天井クレーン１４によって吊り上げられ、機器仮置きプール８の側で運転床６の第１領域２０Ａの床面上に置かれる。ＲＰＶ保温材は、運転床６の第１領域２０Ａの床面上に置かれた遮へいプラグ１７Ｃの隣りで機器仮置きプール８の側に置かれる。ＲＰＶ上蓋３が、原子炉圧力容器２のフランジから取り外され、天井クレーン１４によって吊り上げられる。吊り上げられたＲＰＶ上蓋３が、大物搬入口１１側で既に置かれているＰＣＶ上蓋５に近接して、運転床６の第２領域２０Ｂの床面上に置かれる。
【００３８】
ＲＰＶ上蓋３が移送された後、原子炉圧力容器２内に設置されている炉内機器である蒸気乾燥器が、取り外され、天井クレーン１４に吊り下げられる。この蒸気乾燥器が、天井クレーン１４の駆動によって、原子炉圧力容器２から取り出され、原子炉ウェル７内を上昇する。この蒸気乾燥器は、原子炉ウェル７から通路３０を経て機器仮置きプール８内に移送される。このとき、プールカバー２１Ａ〜２１Ｃが図２のように配置されて機器仮置きプール８を覆っている。吊り天秤（図示せず）を用いて蒸気乾燥器を天井クレーン１４に吊っているので、蒸気乾燥器を機器仮置きプール８内に搬入するとき、プールカバー２１Ａ〜２１Ｃが、天井クレーン１４に掛けられて吊り天秤に取り付けられたワイヤ（図示）の水平方向への移動の障害にはならない。ワイヤは、蒸気乾燥器の移送時に水平方向に移動する際に、領域３３内を移動する。蒸気乾燥器は、機器仮置きプール８の底面上に置かれる。蒸気乾燥器が機器仮置きプール８の底面上に置かれたとき、吊り天秤及びワイヤは、前述したように機器仮置きプール８の端部を覆っているプールカバー２１Ａよりも原子炉ウェル７側に位置している。蒸気乾燥器の機器仮置きプール８への移送が終了した後、原子炉ウェル７及び機器仮置きプール８内に冷却水が充填される。さらに、原子炉圧力容器２から取り外された気水分離器が、天井クレーン１４に吊り下げられて原子炉ウェル７内の水中を上昇し、通路３０を通って冷却水が充填された機器仮置きプール８内に搬入される。この気水分離器が機器仮置きプール８の底面上に置かれる。機器仮置きプール８の底面もレイダウンエリアである。気水分離器が機器仮置きプール８の底面上に置かれたとき、レイダウン作業が終了する。
【００３９】
蒸気乾燥器２６及び気水分離器２７は、沸騰水型原子力プラントの定期検査が行われる間、機器仮置きプール８内に保管される。気水分離器２７も炉内機器である。
【００４０】
以上により、沸騰水型原子力プラントの原子炉建屋１内でのレイダウン作業が終了する。
【００４１】
本実施例では、沸騰水型原子力プラントの運転中に、機器仮置きプール８の幅Ｌ１を長さとするプールカバー２１Ａ〜２１Ｇが機器仮置きプール８を覆っており、プールカバー２１Ｂ〜２１Ｇのそれぞれの幅がＬ１／６であり、プールカバー２１Ａの幅が（Ｌ２−Ｌ１）になっている。このため、機器仮置きプール８を覆っているプールカバー２１Ｄ〜２１Ｇを取り外し、プールカバー２１Ｂ及び２１Ｃを９０°回転させて機器仮置きプール８の対向する長手方向のそれぞれの側面に別々に接触するように配置することによって、機器仮置きプール８の、原子炉ウェル７側の側面を除いた他の３つの側面付近で、機器仮置きプール８の上方に、プールカバー２１Ａ，２１Ｂ，２１Ｃの上面に作業員が通行できる通路を形成することができる。このため、レイダウン作業によって運転床６の床面上に遮へいプラグ１８及びＰＣＶ上蓋５等が置かれて運転床６の床面が狭くなり、作業員が運転床６の床面上を通行することが困難になってきた場合には、作業員は、上記の３つの側面付近で機器仮置きプール８を覆って配置されたプールカバー２１Ａ，２１Ｂ，２１Ｃの上面に形成された通路を歩行することができる。レイダウン作業時においてＰＣＶ上蓋５等のレイダウン対象物を運転床６の床面上の所定の位置に置くとき、作業員は、運転床６上を移動し、レイダウン対象物を置く所定の位置で作業を補助する必要がある。このため、作業員がプールカバー２１Ａ，２１Ｂ，２１Ｃの上面を歩行できるので、作業員が、形成された通路上を移動し、その所定の位置までより迅速に到達することができる。また、必要な工具を広げて置けるスペースが増大する。これらにより、原子炉建屋内のレイダウン作業に要する時間を短縮することができる。
【００４２】
本実施例では、機器仮置きプール８を覆って配置されたプールカバー２１Ａ，２１Ｂ，２１Ｃの上面に通路を形成した状態で、炉内機器（蒸気乾燥器及び気水分離器）を吊っているワイヤを領域３３内を移動させることにより、炉内機器を機器仮置きプール８内に搬入することができるので、レイダウン作業に要する時間をさらに短縮することができる。
【００４３】
本実施例では、プールカバー２１の取り外しによる機器仮置きプール８の開放、及びプールカバー２１による機器仮置きプールの封鎖は、一回の定期検査につき、それぞれ一回ずつ行えば良い。このため、特開２００７−２７１４０５号公報、特開昭６２−６４９９５号公報及び特開昭６０−２０２３９３号公報に比べて、一回の定期検査における、機器仮置きプール８の開放、及びプールカバー２１による機器仮置きプールの封鎖の各作業がそれぞれ１回ずつ低減できる。
【００４４】
本実施例では、プールカバーに、プールカバーを開け閉めする駆動装置を取り付ける必要が無いので、プールカバーの構造が、特開２００７−２７１４０５号公報、特開昭６２−６４９９５号公報及び特開昭６０−２０２３９３号公報に記載されたプールカバーよりも単純化することができる。
【００４５】
プールカバー２１Ｂ，２１Ｃを機器仮置きプール８の上に配置しないで、プールカバー２１Ａのみを配置した場合でも、レイダウン作業に要する時間を短縮することができる。プールカバー２１Ａは、炉内機器を吊っているワイヤの水平方向への移動に支障が生じない範囲で、突起部２３が設けられている側の、機器仮置きプール８の側面から離して配置しても良い。
【実施例２】
【００４６】
本発明の他の実施例である実施例２の機器仮置きプールを開放する方法を、図８及び図９を用いて説明する。本実施例の機器仮置きプールを開放する方法は、沸騰水型原子力プラントに適用される。
【００４７】
本実施例の機器仮置きプールを開放する方法は、実施例１において沸騰水型原子力プラントの運転中に機器仮置きプール８を覆っているプールカバー２１Ａ以外の各プールカバー２１の形状を変え、沸騰水型原子力プラント運転中に機器仮置きプール８を覆っているこれらのプールカバー２１を対象に行われる。沸騰水型原子力プラント運転中において、機器仮置きプール８は、９枚のプールカバー２１で覆われている。これらのプールカバー２１は、プールカバー２１Ａ，２１Ｂ，２１Ｃ及び２１Ｈである。プールカバー２１Ａ，２１Ｂ，２１Ｃはそれぞれ１枚であり、プールカバー２１Ｈは６枚である。
【００４８】
プールカバー２１Ａ（第１のプールカバー）は、実施例１と同様に、機器仮置きプール８の、原子炉ウェル７側の側面と対向する他の側面に接するように配置され、機器仮置きプール８の一部を覆っている。プールカバー２１Ａに設けられた支持ハンガー部材２２，２２Ａが、実施例１と同様に、運転床６の上面に形成された突起部に引っ掛けられている。プールカバー２１Ｂ（第２のプールカバー）は、機器仮置きプール８の、長手方向に伸びる１つの側面に沿って配置され、この側面に接している。プールカバー２１Ｂの一端部に設けられた一対の支持ハンガー部材２２がプールカバー２１Ａの上面に形成された突起部２４上に置かれ、これらの支持ハンガー部材２２の先端がその突起部２４に引っ掛けられている。プールカバー２１Ｂの他端に設けられた一対の支持ハンガー部材２２が、機器仮置きプール８の、原子炉ウェル７側の端に面する運転床６の床面に形成された突起部（図示せず）の上に置かれ、これらの支持ハンガー部材２２の先端がこの突起部に引っ掛けられる。複数の支持ハンガー部材２２Ｂがプールカバー２１Ｂの長手方向に伸びる１つの側面部に設けられる。これらの支持ハンガー部材２２Ｂが、プールカバー２１Ｂが接する側面付近で、運転床６の床面に形成された突起部（図示せず）の上に置かれ、これらの支持ハンガー部材２２Ｂの先端がこの突起部に引っ掛けられる。
【００４９】
プールカバー２１Ｃ（第２のプールカバー）は、プールカバー２１Ｂが接している側面に対向する、機器仮置きプール８の他の側面に沿って配置され、この側面に接している。プールカバー２１Ｃの一端部に設けられた一対の支持ハンガー部材２２がプールカバー２１Ａの上面に形成された突起部２４上に置かれ、これらの支持ハンガー部材２２の先端がその突起部２４に引っ掛けられている。プールカバー２１Ｃの他端に設けられた一対の支持ハンガー部材２２が、機器仮置きプール８の、原子炉ウェル７側の端に面する運転床６の床面に形成された突起部（図示せず）の上に置かれ、これらの支持ハンガー部材２２の先端がこの突起部に引っ掛けられる。複数の支持ハンガー部材２２Ｃがプールカバー２１Ｃの長手方向に伸びる１つの側面部に設けられる。これらの支持ハンガー部材２２Ｃが、プールカバー２１Ｃが接する側面付近で、運転床６の床面に形成された突起部（図示せず）の上に置かれ、これらの支持ハンガー部材２２Ｃの先端がこの突起部に引っ掛けられる。
【００５０】
複数（例えば、６枚）のプールカバー２１Ｈが、機器仮置きプール８の長手方向に並べられて配置されている。各プールカバー２１Ｈの一端部に設けられた一対の支持ハンガー部材２２が、プールカバー２１Ｂの長手方向に伸びる１つの側面部の上面に形成された突起部２４Ａ上に置かれ、これらの支持ハンガー部材２２の先端が突起部２４Ａに引っ掛けられている。各プールカバー２１Ｈの他端部に設けられた一対の支持ハンガー部材２２が、プールカバー２１Ｃの長手方向に伸びる１つの側面部の上面に形成された突起部２４Ｂ上に置かれ、これらの支持ハンガー部材２２の先端が突起部２４Ｂに引っ掛けられている。
【００５１】
上記のように配置されたプールカバー２１Ａ，２１Ｂ，２１Ｃ及び２１Ｈは、沸騰水型原子力プラントの運転中に、機器仮置きプール８を覆って機器仮置きプール８を封鎖している。
【００５２】
定期検査を行うために沸騰水型原子力プラントの運転が停止された後、実施例１と同様に、レイダウン作業が実施される。このレイダウン作業の詳細を以下に説明する。このレイダウン作業において、機器仮置きプール８を覆っている全てのプールカバー２１Ｈが、天井クレーン１４で順次吊り上げられて移送され、運転床６の床面上のカバー仮置きスペース２５に積み重ねられる。機器仮置きプール８では、各プールカバー２１Ｈで覆われていた領域が開放される。機器仮置きプール８は、プールカバー２１Ａ、プールカバー２１Ｂ及びプールカバー２１Ｃで囲まれた領域３３Ａで開放される。
【００５３】
その後、実施例１と同様に、ＰＣＶ上蓋５等の運転床６の床面上への移送、及び蒸気乾燥器等の機器仮置きプール８の底面への移送が行われる。蒸気乾燥器及び気水分離器の機器仮置きプール８内への移送時には、蒸気乾燥器等を吊るしているワイヤが領域３３Ａ内を移動する。このため、蒸気乾燥器及び気水分離器の機器仮置きプール８内への移送が容易に行われる。
【００５４】
レイダウン作業等において、作業員がプールカバー２１Ａ，２１Ｂ，２１Ｃの上を歩行することができる。本実施例は、実施例１で生じる各効果を得ることができる。
【００５５】
プールカバー２１Ｂ，２１Ｃを配置せず、プールカバー２１Ａのみを配置しても、レイダウン作業に要する時間を短縮することができる。
【実施例３】
【００５６】
本発明の他の実施例である実施例３の機器仮置きプールを開放する方法を、図１０及び図１１を用いて説明する。本実施例の機器仮置きプールを開放する方法は、沸騰水型原子力プラントに適用される。
【００５７】
本実施例の機器仮置きプールを開放する方法は、実施例２において、沸騰水型原子力プラントの運転中に機器仮置きプール８を覆っているプールカバー２１Ａをプールカバー２１Ｉとし、プールカバー２１Ｂ、２１Ｃをプールカバー２１Ｊ，２１Ｋとしたものである。プールカバー２１Ｉはプールカバー２１Ｈと同じ長さを有し、プールカバー２１Ｊ，２１Ｋの長さはプールカバー２１Ｂ、２１Ｃよりも長くなっている。本実施例では、機器仮置きプール８は、沸騰水型原子力プラント運転中において、６枚のプールカバー２１Ｈ、１枚のプールカバー２１Ｉ、１枚のプールカバー２１Ｊ及び１枚のプールカバー２１Ｋで覆われている。
【００５８】
プールカバー２１Ｊは、機器仮置きプール８の、長手方向に伸びる１つの側面に沿って配置され、この側面に接している。プールカバー２１Ｊの一端部に設けられた一対の支持ハンガー部材２２が、運転床６の床面に形成された突起部２３上に置かれ、これらの支持ハンガー部材２２の先端がその突起部２３に引っ掛けられている。プールカバー２１Ｊの他端に設けられた一対の支持ハンガー部材２２が、機器仮置きプール８の、原子炉ウェル７側の端に面する運転床６の床面に形成された突起部（図示せず）の上に置かれ、これらの支持ハンガー部材２２の先端がこの突起部に引っ掛けられる。複数の支持ハンガー部材２２Ｅがプールカバー２１Ｊの長手方向に伸びる１つの側面部に設けられる。これらの支持ハンガー部材２２Ｅが、プールカバー２１Ｊが接する側面付近で、運転床６の床面に形成された突起部（図示せず）の上に置かれ、これらの支持ハンガー部材２２Ｅの先端がこの突起部に引っ掛けられる。
【００５９】
プールカバー２１Ｋは、プールカバー２１Ｊが接している側面に対向する、機器仮置きプール８の他の側面に沿って配置され、この側面に接している。プールカバー２１Ｋの一端部に設けられた一対の支持ハンガー部材２２が運転床６に形成された突起部２３上に置かれ、これらの支持ハンガー部材２２の先端がその突起部２３に引っ掛けられている。プールカバー２１Ｋの他端に設けられた一対の支持ハンガー部材２２が、機器仮置きプール８の、原子炉ウェル７側の端に面する運転床６の床面に形成された突起部（図示せず）の上に置かれ、これらの支持ハンガー部材２２の先端がこの突起部に引っ掛けられる。複数の支持ハンガー部材２２Ｆがプールカバー２１Ｋの長手方向に伸びる１つの側面部に設けられる。これらの支持ハンガー部材２２Ｆが、プールカバー２１Ｋが接する側面付近で、運転床６の床面に形成された突起部（図示せず）の上に置かれ、これらの支持ハンガー部材２２Ｆの先端がこの突起部に引っ掛けられる。
【００６０】
プールカバー２１Ｉが、突起部２３が存在する側の、機器仮置きプール８の側面に沿って配置され、この側面に接している。プールカバー２１Ｉの一端部に設けられた一対の支持ハンガー部材２２がプールカバー２１Ｊの１つの側面部上に形成された突起部２４Ｃ上に置かれ、これらの支持ハンガー部材２２の先端がその突起部２４Ｃに引っ掛けられている。プールカバー２１Ｉの他端部に設けられた一対の支持ハンガー部材２２がプールカバー２１Ｋの１つの側面部上に形成された突起部２４Ｄ上に置かれ、これらの支持ハンガー部材２２の先端がその突起部２４Ｄに引っ掛けられている。プールカバー２１Ｉの１つの側面部に設けられた複数の支持ハンガー部材２２Ｄが、運転床６上の突起部２３に引っ掛けられている。
【００６１】
６枚のプールカバー２１Ｈが原子炉ウェル７からプールカバー２１Ｉに向って並んで配置されている。プールカバー２１Ｈの一端部に設けられた一対の支持ハンガー部材２２がプールカバー２１Ｊに形成された突起部２４Ｃ上に置かれ、これらの支持ハンガー部材２２の先端がその突起部２４Ｃに引っ掛けられている。プールカバー２１Ｈの他端部に設けられた一対の支持ハンガー部材２２がプールカバー２１Ｋに形成された突起部２４Ｄ上に置かれ、これらの支持ハンガー部材２２の先端がその突起部２４Ｄに引っ掛けられている。
【００６２】
定期検査を行うために沸騰水型原子力プラントの運転が停止された後、実施例１と同様に、レイダウン作業が実施される。このレイダウン作業の詳細を以下に説明する。このレイダウン作業において、機器仮置きプール８を覆っている全てのプールカバー２１Ｈが、天井クレーン１４で順次吊り上げられて移送され、運転床６の床面上のカバー仮置きスペース２５に積み重ねられる。機器仮置きプール８では、各プールカバー２１Ｈで覆われていた領域が開放される。機器仮置きプール８は、プールカバー２１Ｉ、プールカバー２１Ｊ及びプールカバー２１Ｋで囲まれた領域３３Ｂで開放される。
【００６３】
その後、実施例１と同様に、ＰＣＶ上蓋５等の運転床６の床面上への移送、及び蒸気乾燥器等の機器仮置きプール８の底面への移送が行われる。蒸気乾燥器及び気水分離器の機器仮置きプール８内への移送時には、蒸気乾燥器等を吊るしているワイヤが領域３３Ｂ内を移動する。このため、蒸気乾燥器及び気水分離器の機器仮置きプール８内への移送が容易に行われる。
【００６４】
レイダウン作業等において、作業員がプールカバー２１Ｉ，２１Ｊ，２１Ｋの上を歩行することができる。本実施例は、実施例２で生じる各効果を得ることができる。
【００６５】
プールカバー２１Ｉを配置せず、プールカバー２１Ｊ及びプールカバー２１Ｋのいずれかを配置しても、レイダウン作業に要する時間を短縮することができる。
【００６６】
各実施例では、プールカバー２１に設けた支持ハンガー部材を隣りのプールカバー２１に形成した突起部に引っ掛けているが、図１２または図１３に示す係合構造を採用することによって、あるプールカバー２１を隣りのプールカバー２１で保持することができる。図１２に示す係合構造について説明する。一方のプールカバー２１の端部に下方に向かって折れ曲った保持部３１を設け、このプールカバー２１に隣接する他のプールカバー２１の端部に上方に向って折れ曲がった保持部３２を設ける。保持部３２を保持部３１で支持することによって、保持部３２を有するプールカバー２１を保持部３１を有するプールカバー２１によって支持することができる。
【００６７】
図１３に示す係合構造について説明する。一方のプールカバー２１の端部に上方に向かって折れ曲った保持部３２を設ける。この保持部３２を、隣り合う他のプールカバー２１の端部の上面に重ねることによって、保持部３２を有するプールカバー２１を他のプールカバー２１で保持することができる。
【産業上の利用可能性】
【００６８】
本発明は、沸騰水型原子力プラントに適用できる。
【符号の説明】
【００６９】
１…原子炉建屋、２…原子炉圧力容器、３…原子炉圧力容器上蓋、４…原子炉格納容器、５…原子炉格納容器上蓋、６…運転床、７…原子炉ウェル、８…機器仮置きプール、１４…天井クレーン、１８…遮へいプラグ、２１，２１Ａ，２１Ｂ，２１Ｃ，２１Ｄ，２１Ｅ，２１Ｆ，２１Ｇ，２１Ｈ，２１Ｉ，２１Ｊ，２１Ｋ…プールカバー、２２，２２Ａ，２２Ｂ，２２Ｃ，２２Ｄ，２２Ｅ，２２Ｆ…支持ハンガー部材、２３，２４，２４Ａ，２４Ｂ，２４Ｃ，２４Ｄ…突起部、２８…手すり、３０…通路、３３，３３Ａ，３３Ｂ…領域。
【図１】
0005501747.tif 000002
【図２】
0005501747.tif 000003
【図３】
0005501747.tif 000004
【図４】
0005501747.tif 000005
【図５】
0005501747.tif 000006
【図６】
0005501747.tif 000007
【図７】
0005501747.tif 000008
【図８】
0005501747.tif 000009
【図９】
0005501747.tif 000010
【図１０】
0005501747.tif 000011
【図１１】
0005501747.tif 000012
【図１２】
0005501747.tif 000013
【図１３】
0005501747.tif 000014